(57)【要約】【課題】回転操作部を貫通孔の内周壁からある程度離間させつつ、それらの間に大きな環状空間が生じることを抑制しやすい構成を提供する。【解決手段】加熱調理器１の前面側には前面パネル２０が取り付けられ、この前面パネル２０の貫通孔２２に回転操作部６が挿入される。そして、前面パネル２０に形成された貫通孔２２の内周壁にはリング部材３０が組み込まれ、このリング部材３０は、回転操作部６側に位置する内縁部３２の径が貫通孔２２の内径よりも小さく、内縁部３２が貫通孔２２の内周壁よりも回転操作部６側に向かって張り出した構成となっている。【選択図】図８
2015031470.tif 000002
【特許請求の範囲】
【請求項１】
外周面が円筒状に構成されると共に所定の回転軸を中心として回転する回転操作部が、加熱調理器本体の前面側に配置されてなる加熱調理器であって、
前記加熱調理器本体の前面側に設けられ、前記回転操作部を回転可能に保持する保持部と、
貫通孔が形成されてなり、前記保持部の前面側を覆うと共に前記貫通孔内に前記回転操作部が挿入された構成で前記加熱調理器本体に取り付けられる前面パネルと、
前記前面パネルに形成された前記貫通孔の内周壁に組み込まれると共に、前記貫通孔に挿入される前記回転操作部の外周部の周囲に配置される張出部材と、
を備え、
前記張出部材は、前記回転操作部側に位置する内縁部の径が前記貫通孔の内径よりも小さく、前記内縁部が前記貫通孔の前記内周壁よりも前記回転操作部の前記外周部側に向かって張り出した構成となっていることを特徴とする加熱調理器。
【請求項２】
前記張出部材の前記内縁部の全周が、前記貫通孔の前記内周壁よりも前記回転操作部の前記外周部側に向かって張り出した構成で配置されることを特徴とする請求項１に記載の加熱調理器。
【請求項３】
前記貫通孔の前記内周壁には、前記貫通孔の周方向に切り欠かれた溝部が形成され、
前記張出部材は、前記回転操作部の周囲において前記溝部に装着され、前記内縁部の少なくとも一部が前記貫通孔の前記内周壁よりも前記回転操作部の前記外周部側に向かって張り出した状態を維持しつつ前記前面パネルの前面に沿った方向に移動可能とされていることを特徴とする請求項１又は請求項２に記載の加熱調理器。
【発明の詳細な説明】
【技術分野】
【０００１】
本発明は、加熱調理器に関するものである。
【背景技術】
【０００２】
例えば、ビルトインコンロなどの加熱調理器では、器体前面側に回転操作式の操作部が設けられた構成が知られており、この種の構成としては、例えば特許文献１のようなものがある。特許文献１の技術では、器体前面に取り付けられる化粧パネル１ａに開口状の窓部１８が形成され、この窓部１８内に挿し込まれる構成で、熱源の点火や火力調整などを行うための複数の前面操作部２２が配置されている。また、これら前面操作部２２は、使用者の操作に応じて、窓部１８内で、前方に突出する突出位置とその突出位置よりもやや後方に退避した退避位置とに切り替わるように構成されている。
【先行技術文献】
【特許文献】
【０００３】
【特許文献１】特開平２００８−２８６４８７号公報
【発明の概要】
【発明が解決しようとする課題】
【０００４】
ところで、加熱調理器本体の前面側に取り付けられる前面パネルに貫通孔を形成し、この貫通孔を介して回転操作式の回転操作部を前方に突出させる構成とする場合、回転操作部の外周部の径よりも貫通孔の内周壁の径をある程度大きくし、回転操作部を、貫通孔の内周壁から離間させて配置することが望ましい。このようにすると、回転操作部が貫通孔の内周壁に常時接触することを防ぐことができ、製造上の誤差等が生じても前面パネルが安定的に装着しやすくなるからである。
【０００５】
但し、このように回転操作部を貫通孔の内周壁から離間させる構成では、この間を完全に空間にしてしまうと、使用者が前方側から見たときに、その空間が目立ちやすくなってしまうという問題がある。特に、各部品の組付誤差や、製造工程における僅かな反り等により、回転操作部の中心と貫通孔の中心とが僅かにずれた状態で前面パネルが装着されてしまうと、回転操作部と貫通孔の間に構成される隙間も変形し、完全な環状にならずに偏った形状になり、美観を損ねてしまうという問題がある。また、複数の回転操作部がパネルの貫通孔を貫通する関係上、異なる形の隙間が形成され、各々、美観を損ねてしまう虞がある。
【０００６】
本発明は、上述した課題を解決するためになされたものであり、加熱調理器本体の前面パネルに形成された貫通孔を介して回転操作部を前方に突出させる構成において、回転操作部を貫通孔の内周壁からある程度離間させつつ、それらの間に大きな環状空間が生じることを抑制しやすい構成を提供することを目的とする。
【課題を解決するための手段】
【０００７】
本発明は、外周面が円筒状に構成されると共に所定の回転軸を中心として回転する回転操作部が、加熱調理器本体の前面側に配置されてなる加熱調理器であって、
前記加熱調理器本体の前面側に設けられ、前記回転操作部を回転可能に保持する保持部と、
貫通孔が形成されてなり、前記保持部の前面側を覆うと共に前記貫通孔内に前記回転操作部が挿入された構成で前記加熱調理器本体に取り付けられる前面パネルと、
前記前面パネルに形成された前記貫通孔の内周壁に組み込まれると共に、前記貫通孔に挿入される前記回転操作部の外周部の周囲に配置される張出部材と、
を備え、
前記張出部材は、前記回転操作部側に位置する内縁部の径が前記貫通孔の内径よりも小さく、前記内縁部が前記貫通孔の前記内周壁よりも前記回転操作部の前記外周部側に向かって張り出した構成となっていることを特徴とする。
【発明の効果】
【０００８】
請求項１の発明では、前面パネルに形成された貫通孔の内周壁に張出部材が組み込まれ、この張出部材は、回転操作部側に位置する内縁部の径が貫通孔の内径よりも小さく、内縁部が貫通孔の内周壁よりも回転操作部の外周部側に向かって張り出した構成となっている。
このように構成されるため、張出部材により、貫通孔の内周壁と回転操作部との間に構成される隙間が埋められることになり、貫通孔の内周壁と回転操作部との間の隙間の存在を使用者の意識から取り除くことができる。よって、大きな環状空間の存在及びその偏りに起因する美観の低下を効果的に抑えることができる。
【０００９】
請求項２の発明は、張出部材の内縁部の全周が、貫通孔の内周壁よりも回転操作部の外周部側に向かって張り出した構成で配置される。
この構成によれば、回転操作部の全周にわたるどの方向でも、貫通孔への接近が抑えられるため、回転操作部のどの方向への偏りも抑えることができ、ひいては、偏りに起因する美観の低下をより一層確実に防ぐことができる。
また、回転操作部の周囲において全周にわたり、貫通孔の内周壁と回転操作部との間に構成される隙間が埋められ、張出部材の内縁部が全体的に環状形状で視認できるようになる。つまり、回転操作部の周囲において全周にわたり隙間空間が低減され、張出部材の視認形状も見栄えの良い環状になるため、美観をより一層高めることができる。
【００１０】
請求項３の発明は、貫通孔の内周壁に、貫通孔の周方向に切り欠かれた溝部が形成され、張出部材は、回転操作部の周囲において溝部に装着され、内縁部の少なくとも一部が貫通孔の内周壁よりも回転操作部の外周部側に向かって張り出した状態を維持しつつ前面パネルの前面に沿った方向に移動可能とされている。
この構成では、貫通孔の内周壁で切り欠かれた溝部に装着するという簡易な構成で有効性の高い張出部材を組み付けることができる。
その上、張出部材は、前面パネルの前面に沿った方向に移動し得るように、ある程度は移動上の余裕が確保された状態で配置されている。つまり、何らかの理由によって回転操作部が若干位置ずれしても、張出部材はその位置に合うように調整されるため、回転操作部と張出部材の位置が合わなくなることに起因する組み付け不良を抑えやすくなる。しかも、回転操作部が若干位置ずれした場合、その位置ずれに合うように張出部材もずれるため、位置ずれ時に偏った空間が目立つことをより確実に抑制できる。
【図面の簡単な説明】
【００１１】
【図１】図１は、本発明の第１実施形態に係る加熱調理器を例示する斜視図である。
【図２】図２は、図１の加熱調理器の正面図である。
【図３】図３は、図１の加熱調理器において、加熱調理器本体から前面パネルを取り外した様子を斜め後方側から部分的に示す斜視図である。
【図４】図４（Ａ）は、図１の加熱調理器に用いる前面パネルにおける図４（Ｃ）のＡ−Ａ位置で切断した断面を示す断面概略図である。図４（Ｂ）は、図１の加熱調理器に用いる前面パネルの平面図であり、図４（Ｃ）は、その正面図であり、図４（Ｄ）は、その底面図である。
【図５】図５（Ａ）は、図１の加熱調理器に用いる前面パネルの右側面図であり、図５（Ｂ）は、図４（Ｃ）のＢ−Ｂ位置で切断した断面を示す断面概略図である。
【図６】図６（Ａ）は、図１の加熱調理器に用いる前面パネルの背面図であり、図６（Ｂ）は、図５（Ａ）のＣ−Ｃ位置で切断した断面を示す断面概略図である。
【図７】図７（Ａ）は、図２の加熱調理器の回転操作部付近を拡大して示す拡大図であり、図７（Ｂ）は、図６（Ｂ）の断面図における貫通孔付近を拡大して示す拡大図である。
【図８】図８は、図４（Ａ）の断面図における貫通孔付近を拡大して示す拡大図である。
【図９】図９（Ａ）は、図１の加熱調理器に用いるリング部材の平面図であり、図９（Ｂ）は、その正面図であり、図９（Ｃ）は、図９（Ｂ）の横方向中心位置で縦方向に切断した断面を示す断面概略図である。
【発明を実施するための形態】
【００１２】
[第１実施形態]
以下、本発明を具現化した第１実施形態について、図面を参照して説明する。
（加熱調理器の全体構成）
図１に示す加熱調理器１は、調理鍋等の調理器具を加熱可能なビルトインコンロとして構成されている。この加熱調理器１は、加熱調理器本体１ａの上面を構成する天板２（トッププレート）から露出するように、右こんろ部４ａ、左こんろ部４ｂ、が夫々設けられ、その左右のこんろ部４ａ，４ｂの間で後方寄りに小こんろ部４ｃが設けられている。そして、天板２の下方において加熱調理器本体１ａの内部中央付近にはグリル３が設けられている。なお、グリル３は、被調理物を収納して図示しないグリルバーナで加熱調理するグリル庫（図示略）を備えており、このグリル庫は、加熱調理器本体１ａの前面部に設けられたグリル扉３ｂによって開閉可能とされている。
【００１３】
また、右こんろ部４ａ、左こんろ部４ｂ、小こんろ部４ｃ、グリル３にそれぞれ対応するように４つの回転操作部６が設けられている。第１の回転操作部６ａ，第２の回転操作部６ｂ，第３の回転操作部６ｃは、右側の前面パネル２０から露出するように設けられている。尚、実際の各こんろ部との位置関係と一致するよう、右こんろ部４ａに対応する回転操作部６ａが右側に、左こんろ部６ｂに対応する回転操作部６ｂが左側に、小こんろ部４ｃに対応する回転操作部６ｃが回転操作部６ａ，６ｂの間に配置されている。また、第４の回転操作部１０６ａは、左側の前面パネル１２０から露出するように設けられている。
【００１４】
なお、本明細書では、略長方形状に構成される天板２の短手方向が前後方向であり、天板２の長手方向が横方向（左右方向）となっている。また、天板２の板面と直交する方向が上下方向となっている。
【００１５】
（回転操作部の構成）
ここで、回転操作部６の構成について説明する。
第１の回転操作部６ａは、右こんろ部４ａの点火、消火、火力調整を行うものであり、押圧操作可能に構成され、且つ回転操作可能に構成されている。例えば、消火時には、図１の実線のように、円筒状に構成された回転操作部６ａの前面部４１が後方に退避するようになっている。そして、この状態から前面部４１を押圧することで、右こんろ部４ａの点火がなされ、二点鎖線６’で示すように前面部４１が消火時よりも前方位置になるように回転操作部６ａが突出するようになっている。また、このような突出状態のときに回転操作部６ａを一方の回転方向に回転させることで、対応する右こんろ部４ａの火力を増大することができ、逆に、回転操作部６ａを他方の回転方向に回転させることで、対応する右こんろ部４ａの火力を増大することができるようになっている。また、二点鎖線６’で示す突出状態のときに前面部４１を押圧すると、実線で示す退避状態に戻り、このときには右こんろ部４ａの消火がなされる。
【００１６】
なお、回転操作部６ｂは、左こんろ部４ｂの点火、消火、火力調整を行い、回転操作部６ｃは、小こんろ部４ｃの点火、消火、火力調整を行い、回転操作部１０６ａは、グリル３の点火、消火、火力調整を行うものである。これらは対象が異なるだけ、基本的な構造、機能は回転操作部６ａと同様である。
【００１７】
前面パネル２０は、加熱調理器１の前面部の一部（右寄り上部領域）を構成する化粧パネルとして機能しており、加熱調理器本体１ａに対して係止爪５０（図４（Ａ）、図５等）などによって着脱可能に装着されるものである。なお、前面パネル２０は、加熱調理器本体１ａの前面側に着脱可能に装着できればよく、装着構造は特に限定されない。
【００１８】
本構成では、図３のように、３つの回転操作部６ａ，６ｂ，６ｃが、加熱調理器本体１ａの一部をなす保持部８によって回転可能及び前後方向に移動可能に保持されている。保持部８は、例えば前面パネル２０の裏面（後面）と対向する前面部（図示略）を備えており、この前面部から回転操作部６ａ，６ｂ，６ｃが前方に突出するようになっている。なお、保持部８での保持構造（即ち、回転操作部６ａ，６ｂ，６ｃをそれぞれ回転可能とし、かつ各回転操作部６ａ，６ｂ，６ｃが押圧する毎に突出位置と退避位置とに切り替わるように保持する構造）は、例えばビルトインコンロでの公知の機構を用いればよい。そして、前面パネル２０は、このような保持部８の前面側を覆う構成で配置される。
【００１９】
図１、図２、図４（Ａ）、（Ｂ）、図６のように、前面パネル２０には３つの貫通孔２２が形成されている。図１、図２のように、これら貫通孔２２のうち、第１の貫通孔２２ａには回転操作部６ａが挿入され、第２の貫通孔２２ｂには回転操作部６ｂが挿入され、第３の貫通孔２２ｃには回転操作部６ｃが挿入されるようになっている。このように、前面パネル２０は、保持部８の前面側を覆う構成で配置され、各貫通孔２２ａ，２２ｂ，２２ｃ内に回転操作部６ａ，６ｂ，６ｃが挿入された構成で加熱調理器本体１ａに取り付けられる。
【００２０】
そして、図４（Ａ）、（Ｃ）、図６のように、これら貫通孔２２ａ，２２ｂ，２２ｃに組み込まれるように３つのリング部材３０（第１のリング部材３０ａ，第２のリング部材３０ｂ，第３のリング部材３０ｃ）が配置される。いずれのリング部材３０ａ，３０ｂ，３０ｃも、前面パネル２０に形成された各貫通孔２２の内周壁２３ａに組み込まれると共に、各貫通孔２２に挿入される回転操作部６の外周部の周囲に配置される構成となっている。
【００２１】
なお、本構成では、回転操作部６ａと、それ以外の回転操作部６ｂ、６ｃの構成は同一である。よって、以下では、回転操作部６の代表例として、第１の回転操作部６ａを例に挙げて説明する。また、貫通孔２２ａと、それ以外の貫通孔２２ｂ，２２ｃ，１２２ａの構成は同一であり、リング部材３０ａと、それ以外のリング部材３０ｂ，３０ｃ及び回転操作部１０６ａの周囲に配置されるリング部材（図示略）の構成は同一である。よって、以下では、貫通孔２２の代表例として、貫通孔２２ａを例に挙げ、リング部材３０の代表例として、リング部材３０ａを例に挙げて説明する。
【００２２】
回転操作部６ａは、図１、図２のように加熱調理器本体１ａの前面側に配置され、図８のように、所定の回転軸Ｇを中心として回転するように上述の保持部８（図３）によって回転可能に保持されている（図５（Ｂ）、図７も参照）。この回転操作部６ａは、例えば、全体として円柱状に構成され、外周部４３の外面（外周面）が滑らかな円筒状の略円筒面として構成されている。また、回転操作部６ａの前面部４１は、例えば、外面が回転軸Ｇの方向と直交する平坦面として構成されている。
【００２３】
図８のように、貫通孔２２ａは、板状に構成される前面パネル２０を厚さ方向に貫通する孔として構成されており、図７（Ａ）のように正面側から見た内周縁の形状も、図６（Ａ）のように背面側から見た内周縁の形状も、略円形状となっている。そして、図８のように、貫通孔２２ａに回転操作部６ａが挿入されるようになっており、回転操作部６ａは、その挿入状態で前後方向に進退可能となっている。
【００２４】
また、図８のように、回転操作部６ａの外周面の径Ｄ１は、貫通孔２２ａにおける内周壁２３ａの径（より具体的には、貫通孔２２ａの内周壁２３ａにおいて最も内側となる部分の径）Ｄ３よりも小さくなっており、これらを正面視したときには、貫通孔２２ａの開口領域内に、「回転操作部６ａにおいて貫通孔２２ａより前方に配置されうる部分」の領域全体が配置されるようになっている。より具体的には、前面パネル２０の前面２０ａに沿った方向において、「回転操作部６ａにおける貫通孔２２ａより前方に配置されうる部分の領域」が、貫通孔２２ａの開口領域よりも外側にならない構成となっている。
【００２５】
そして、図８のように、このように形成された貫通孔２２ａの内周壁２３ａにリング部材３０ａが組み込まれ、貫通孔２２ａに挿入される回転操作部６ａの外周部４３の周囲を取り囲むように配置される。このリング部材３０ａは、図９（Ａ）（Ｂ）（Ｃ）のような円環状のリング形状となっており、例えば樹脂材料などによって構成されている。また、リング部材３０ａにおける内縁部３２の表面の摩擦係数は、貫通孔２２ａにおける内周壁２３ａの表面の摩擦係数よりも小さくなっており、これによって摺動性が高められている。
【００２６】
図９（Ａ）（Ｂ）のように、リング部材３０ａの外周部には、横方向に突出する一対の突起部３４，３４が形成されており、図７、図８のように、これら突起部３４，３４が、溝部２５ａに形成された一対の孔部２７，２７に嵌り込むことで周方向の位置決めがなされ、リング部材３０ａが周方向に回転しないようになっている。また、図８、図９のように、リング部材３０ａの内周部において厚さ方向一方側の位置（前端寄りの位置）に、回転操作部６ａと当接し得る内縁部３２が段差状に構成されており、この内周部において、内縁部３２よりも後方部分３３の内径は内縁部３２の内径Ｄ２よりも若干大きくなっている。本構成では、この後方部分３３に環状の規制部２９が嵌り込んで固定されることで、リング部材３０ａの後方への移動が規制されている。なお、本構成では、前面パネル２０の大部分をなす板状のパネル本体２１ａの裏面側に板状部材２１ｂが固定されており、このパネル本体２１ａと板状部材２１ｂによって溝部２５ａが構成されている。そして、板状部材２１ｂの一部が上記規制部２９となっている。
【００２７】
そして、図８のように、リング部材３０ａは、回転操作部６ａ側に位置する内縁部３２の径Ｄ２が、貫通孔２２ａの内径Ｄ３よりも小さくなっており、この径Ｄ２は、回転操作部６ａの外周面の径Ｄ１よりも僅かに大きくなっている。そして、その内縁部３２が貫通孔２２の内周壁２３ａよりも回転操作部６の外周部４３側に向かって環状に張り出した構成となっている。このように構成されるため、リング部材３０ａにより、貫通孔２２ａの内周壁２３ａと回転操作部６ａとの間に構成される隙間が埋められることになり、内周壁２３ａと回転操作部６ａとの間に大きな環状空間が生じ難くなる。よって、大きな環状空間の存在及びその偏りに起因する美観の低下を効果的に抑えることができる。
【００２８】
特に本構成では、図７（Ａ）のように、常に、リング部材３０ａの内縁部３２の全周が、貫通孔２２ａの内周壁２３ａよりも回転操作部６ａの外周部４３側に向かって張り出した構成で配置される。この構成によれば、回転操作部６ａの全周にわたるどの方向でも、貫通孔２２ａへの接近が抑えられるため、回転操作部６ａのどの方向への偏りも抑えることができ、ひいては、偏りに起因する美観の低下をより一層確実に防ぐことができる。
【００２９】
また、図７（Ａ）のように、回転操作部６ａの周囲において全周にわたり、貫通孔２２ａの内周壁２３ａと回転操作部６ａとの間に構成される隙間が埋められ、リング部材３０ａの内縁部３２が全体的に環状形状で視認できるようになる。つまり、回転操作部６ａの周囲において全周にわたり隙間空間が低減され、リング部材３０ａの視認形状も見栄えの良い環状になるため、美観をより一層高めることができる。
【００３０】
また、本構成では、図７（Ｂ）、図８のように、貫通孔２２ａの内周壁２３ａに、貫通孔２２ａの周方向に切り欠かれた溝部２５ａが形成されている。そして、リング部材３０ａは、回転操作部６ａの周囲において溝部２５ａに装着され、溝部２５ａに構成される筒状の内周面の大きさが、この内周面に対向するリング部材３０ａの外周面の大きさよりも若干大きくなっている。そして、図７（Ａ）のように内縁部３２の周方向全体が内周壁２３ａよりも回転操作部６ａの外周部４３側に向かって張り出した状態を維持しつつ、リング部材３０ａが前面パネル２０の前面２０ａに沿った方向に若干移動できるようになっている。
【００３１】
この構成によれば、内周壁２３ａで切り欠かれた溝部２５ａに装着するという簡易な構成で有効性の高いリング部材３０ａを組み付けることができる。その上、リング部材３０ａは、前面パネル２０の前面２０ａに沿った方向に移動し得るように、ある程度は移動上の余裕が確保された状態で配置されることになる。つまり、何らかの理由によって回転操作部６ａが若干位置ずれしても、リング部材３０ａはその位置に合うように調整されるため、回転操作部６ａとリング部材３０ａの位置が合わなくなることに起因する組み付け不良を抑えやすくなる。しかも、回転操作部６ａが若干位置ずれした場合、その位置ずれに合うようにリング部材３０ａもずれるため、位置ずれ時に偏った空間が目立つことをより確実に抑制できる。
【００３２】
［他の実施形態]
本発明は上記記述及び図面によって説明した実施形態に限定されるものではなく、例えば次のような実施形態も本発明の技術的範囲に含まれる。
【００３３】
上記実施形態では、張出部材として、リング部材３０を例示したが、このリング部材３０に限定されるものではなく、例えば内周縁がリング部材３０と同様の円形状の構成であれば、外周縁は円形状でなくてもよい。この場合、溝部５ａは、それに合わせた形状に変更すればよい。
【００３４】
上記実施形態では、こんろ部の点火や消火、火力調節等を行うための回転操作部６ａ及びその関連構成を主に説明したが、グリルの点火や消火、火力調節等を行うための回転操作部１０６ａ及びその関連構成も同様とすることができる。この場合、前面パネル１２０において回転操作部１０６ａ、貫通孔１２２ａ、貫通孔１２２ａに組み込まれるリング部材などを、前面パネル２０における回転操作部６ａ付近の構成と同様にすればよい。
【符号の説明】
【００３５】
１…加熱調理器
１ａ…加熱調理器本体
６…回線操作部
８…保持部
２０，１２０…前面パネル
２０ａ…前面
２２…貫通孔
２３ａ…内周壁
３０…リング部材（張出部材）
３２…内縁部
４３…外周部
【図１】
2015031470.tif 000003
【図２】
2015031470.tif 000004
【図３】
2015031470.tif 000005
【図４】
2015031470.tif 000006
【図５】
2015031470.tif 000007
【図６】
2015031470.tif 000008
【図７】
2015031470.tif 000009
【図８】
2015031470.tif 000010
【図９】
2015031470.tif 000011